(57)【要約】【課題】画像読み取り機能を備えた画像形成装置において、スキャンユニットを保持する部材の部品コストを低くし、組立に必要な工数が少なく製造コストを抑制することができるようにして、安価にする。【解決手段】樹脂部材４は、筐体に副走査方向が長手方向となるように配されるガイドシャフトに対し摺動可能に嵌装されるシャフトベアリング４ａと、シャフトベアリング４ａが設けられている部位から主走査方向両側に延設されている板状のブラケット４ｂとが一体に成型されたものである。スキャンユニット３は、樹脂部材４のばね取付部４ｅにばね６が圧入された状態で、樹脂部材４の保持部４ｃにスキャンユニット３の支持突起３ｄが嵌められることにより、樹脂部材４のブラケット４ｂに保持されている。シャフトベアリング４ａとブラケット４ｂとが一体であるため、スキャンユニット３を保持する部材の部品コストが低く、組み立てに必要な工数も少なくなる。【選択図】図３
2007086356.tif 000002
【特許請求の範囲】
【請求項１】
上面に矩形開口が形成された筐体と、
透光性材料で形成され、前記筐体の開口に装着される平板状の原稿台と、
前記筐体の内部に、主走査方向が長手方向となるように、前記原稿台の内面に上面が当接するように配されており、原稿台の主走査方向及び主走査方向に直交する副走査方向の所定の範囲を照明する照明手段と、この照明手段により照明された所定の範囲の画像を撮像する撮像手段とを有し、副走査方向に移動されることにより前記原稿台に載置された原稿を画像データとして読み取るスキャンユニットと、
前記筐体の内部に、副走査方向が長手方向となるように配されたガイドシャフトと、
前記ガイドシャフトに摺動自在に係合されたシャフトベアリングと、
主走査方向が長手方向となるように配され、前記シャフトベアリングに連結されており、前記スキャンユニットを下方から保持するブラケットと、
前記ブラケットの上面とスキャンユニットの下面との間で圧縮された状態となるように配されており、スキャンユニットの上面が前記原稿台の内面に当接するようにスキャンユニットを付勢するばねと、
前記シャフトベアリングに駆動力を与え、前記スキャンユニットを副走査方向に移動させる駆動手段と、
前記スキャンユニットにより読み取られた画像データ、又は外部から入力された画像データに基いて、記録紙に画像を形成する画像形成手段とを備えた画像形成装置において、
前記シャフトベアリング及びブラケットは、共に１つの樹脂部材に一体成型されており、
この樹脂部材の前記ブラケットに相当する部位には、樹脂部材の剛性が高くなるように補強リブが形成されていることを特徴とする画像形成装置。
【請求項２】
上面に矩形開口が形成された筐体と、
透光性材料で形成され、前記筐体の開口に装着される平板状の原稿台と、
前記筐体の内部に、主走査方向が長手方向となるように、前記原稿台の内面に上面が当接するように配されており、原稿台の主走査方向及び主走査方向に直交する副走査方向の所定の範囲を照明する照明手段と、この照明手段により照明された所定の範囲の画像を撮像する撮像手段とを有し、副走査方向に移動されることにより前記原稿台に載置された原稿を画像データとして読み取るスキャンユニットと、
前記筐体の内部に、副走査方向が長手方向となるように配されたガイドシャフトと、
前記ガイドシャフトに摺動自在に係合されたシャフトベアリングと、
前記シャフトベアリングに連結されており、前記スキャンユニットを下方から保持するブラケットと、
前記ブラケットの上面とスキャンユニットの下面との間で圧縮された状態となるように配されており、スキャンユニットの上面が前記原稿台の内面に当接するようにスキャンユニットを付勢するばねと、
前記スキャンユニットを副走査方向に移動させる駆動手段と、
前記スキャンユニットにより読み取られた画像データ、又は外部から入力された画像データに基いて、記録紙に画像を形成する画像形成手段とを備えた画像形成装置において、
前記シャフトベアリング及びブラケットは、共に樹脂により一体に成型されて構成されていることを特徴とする画像形成装置。
【発明の詳細な説明】
【技術分野】
【０００１】
本発明は、画像読み取り機能を備えた画像形成装置に関するものである。
【背景技術】
【０００２】
従来から、画像読み取り装置を用いて原稿を画像データとして読み取る機能を備えた画像形成装置が実用化されている。このような画像読み取り機能を備えた画像形成装置としては、例えばＣＩＳ(Contact Image Sensor)等の、主走査方向の所定範囲を撮像する撮像手段を搭載したスキャンユニットを副走査方向に移動させることにより、原稿台上に載置された原稿を画像データとして読み取るものがある（例えば、特許文献１乃至特許文献３参照）。このようなスキャンユニットは、一般に、支持部材により保持されて原稿台に密着されており、駆動手段により支持部材に駆動力が加えられることにより、筐体に副走査方向に沿って配されているガイドシャフトに沿って移動される。
【０００３】
図５は、上述のような、従来の画像形成装置に用いられるスキャンユニットと支持部材の一例を示す。図の矢印Ａ，Ｂは、それぞれ主走査方向、副走査方向を示す。スキャンユニット８３は、図示しない原稿台に対向するように、画像形成装置の筐体内に主走査方向が長手方向となるようにして配されるものである。スキャンユニット８３は、原稿台に載置される原稿の主走査方向の所定範囲の部位を照明する照明手段８３ｂと、原稿の照明手段８３ｂによって照明された部位を撮像する撮像手段８３ｃを有している。図に示すように、スキャンユニット８３の主走査方向の両端の側部には支持突起８３ｄが設けられている。また、スキャンユニット８３の上面の主走査方向の両端には、原稿台に当接されるスペーサ８３ｅが設けられている。
【０００４】
スキャンユニット８３を保持する支持部材は、画像形成装置の筐体に配された図示しないガイドシャフトに摺動可能に係合されるベアリング部８４１ａを有する樹脂製のシャフトベアリング８４１と、主走査方向が長手方向となるように配されたブラケット８４２と、ブラケット８４２とシャフトベアリング８４１とを連結するねじ８４３により構成されている。ブラケット８４２は、後述のようにスキャンユニット８３を保持したときに撓みにくいような程度の剛性を有する必要があるため、金属板により形成されており、主走査方向の略中央部でシャフトベアリング８４１に連結されている。ブラケット８４２の主走査方向の両端部には、スキャンユニット８３の支持突起８３ｄを保持するための保持部８４２ｃが配されている。また、ブラケット８４２の上面には、ばね８６が圧入されるばね取付部８４２ｅが形成されている。
【０００５】
スキャンユニット８３は、２つのばね８６がばね取付部８４２ｅに取り付けられている状態で、支持突起８３ｄがブラケット８４２の保持部８４２ｃに取付けられることにより、ブラケット８４２に保持される。そして、画像形成装置の筐体内には、ベアリング部８４１ａがガイドシャフトに摺動可能に係合され、また、スキャンユニット８３のスペーサ８３ｅが原稿台の内面に当接した状態で配設される。このとき、ばね８６は圧縮された状態であり、スペーサ８３ｅが原稿台に確実に当接されるようにスキャンユニット８３を付勢している。
【０００６】
しかしながら、この画像形成装置では、スキャンユニット８３を保持するための部材が、シャフトベアリング８４１と、ブラケット８４２と、ねじ８４３とで構成されており、部品点数が多く、部品コストが高くなってしまうという問題がある。加えて、組立工程において、シャフトベアリング８４１とブラケット８４２とを連結させるときには、互いの位置関係が重要であるため治具を用いる必要があり、組立に多くの工数が必要であるため、製造コストが高くなってしまうという問題がある。
【０００７】
なお、特許文献１に記載の画像読取装置は、上述のようなスキャンユニット８３にガイドシャフトに係合するような位置決め手段を設けることにより、スキャンユニット８３がシャフトに対して高精度に固定されるようにしたものである。特許文献２に記載の画像読取装置においては、スキャンユニット８３に熱によるそりが生じても、スキャンユニット８３の取付部に変形等が生じないようにしたものである。特許文献３に記載の画像読取装置は、原稿台をスキャンユニット８３の反りに合わせた形状にすることにより、スキャンユニット８３が原稿を読み取るときにピントぼけが発生しないようにしたものである。しかしながら、これらの特許文献１乃至特許文献３には、上述のような問題点に対して有効な解決策は開示されていない。
【特許文献１】特開２００５−３７７８号公報
【特許文献２】特開２００３−８７５０４号公報
【特許文献３】特開２０００−１３８８０３号公報
【発明の開示】
【発明が解決しようとする課題】
【０００８】
本発明は、上記問題点を鑑みてなされたものであり、スキャンユニットを保持する部材を構成する部品点数を少なくすることにより、部品コストが低く、組立に必要な工数が少なく製造コストを抑制することができる、安価な画像形成装置を提供することを目的とする。
【課題を解決するための手段】
【０００９】
上記目的を達成するため請求項１の発明は、上面に矩形開口が形成された筐体と、透光性材料で形成され、前記筐体の開口に装着される平板状の原稿台と、前記筐体の内部に、主走査方向が長手方向となるように、前記原稿台の内面に上面が当接するように配されており、原稿台の主走査方向及び主走査方向に直交する副走査方向の所定の範囲を照明する照明手段と、この照明手段により照明された所定の範囲の画像を撮像する撮像手段とを有し、副走査方向に移動されることにより前記原稿台に載置された原稿を画像データとして読み取るスキャンユニットと、前記筐体の内部に、副走査方向が長手方向となるように配されたガイドシャフトと、前記ガイドシャフトに摺動自在に係合されたシャフトベアリングと、主走査方向が長手方向となるように配され、前記シャフトベアリングに連結されており、前記スキャンユニットを下方から保持するブラケットと、前記ブラケットの上面とスキャンユニットの下面との間で圧縮された状態となるように配されており、スキャンユニットの上面が前記原稿台の内面に当接するようにスキャンユニットを付勢するばねと、前記シャフトベアリングに駆動力を与え、前記スキャンユニットを副走査方向に移動させる駆動手段と、前記スキャンユニットにより読み取られた画像データ、又は外部から入力された画像データに基いて、記録紙に画像を形成する画像形成手段とを備えた画像形成装置において、前記シャフトベアリング及びブラケットは、共に１つの樹脂部材に一体成型されており、この樹脂部材の前記ブラケットに相当する部位には、樹脂部材の剛性が高くなるように補強リブが形成されているものである。
【００１０】
請求項２の発明は、上面に矩形開口が形成された筐体と、透光性材料で形成され、前記筐体の開口に装着される平板状の原稿台と、前記筐体の内部に、主走査方向が長手方向となるように、前記原稿台の内面に上面が当接するように配されており、原稿台の主走査方向及び主走査方向に直交する副走査方向の所定の範囲を照明する照明手段と、この照明手段により照明された所定の範囲の画像を撮像する撮像手段とを有し、副走査方向に移動されることにより前記原稿台に載置された原稿を画像データとして読み取るスキャンユニットと、前記筐体の内部に、副走査方向が長手方向となるように配されたガイドシャフトと、前記ガイドシャフトに摺動自在に係合されたシャフトベアリングと、前記シャフトベアリングに連結されており、前記スキャンユニットを下方から保持するブラケットと、前記ブラケットの上面とスキャンユニットの下面との間で圧縮された状態となるように配されており、スキャンユニットの上面が前記原稿台の内面に当接するようにスキャンユニットを付勢するばねと、前記スキャンユニットを副走査方向に移動させる駆動手段と、前記スキャンユニットにより読み取られた画像データ、又は外部から入力された画像データに基いて、記録紙に画像を形成する画像形成手段とを備えた画像形成装置において、前記シャフトベアリング及びブラケットは、共に樹脂により一体に成型されて構成されているものである。
【発明の効果】
【００１１】
請求項１の発明によれば、シャフトベアリング及びブラケットが、共に１つの樹脂部材に一体成型されているので、部品点数が少なくなり、部品コストが低くなる。また、治具を用いる等してシャフトベアリングとブラケットを結合させるような組立作業が必要無いため、組立に必要な工数が少なくなり、製造コストを抑制することが可能となる。従って、画像形成装置を安価なものにすることが可能となる。さらに、樹脂部材のブラケットに相当する部位には補強リブが形成されているので、この部位の剛性を効率的に確保することができる。従って、確実にスキャンユニットを保持することができる堅牢なブラケットを軽量に形成することが可能となり、画像を読み取る際にスキャンユニットをより安定して移動させることが可能となる。
【００１２】
請求項２の発明によれば、シャフトベアリング及びブラケットが、共に１つの樹脂部材に一体成型されているので、上述と同様に、部品コスト及び製造コストを抑制することが可能となり、画像形成装置を安価なものにすることが可能となる。
【発明を実施するための最良の形態】
【００１３】
以下、本発明の一実施形態について図面を参照して説明する。図１は、本実施形態に係る画像形成装置を示す。この画像形成装置１は、いわゆるプリンタ複合機であり、例えば、筐体１００の上部の画像読み取り機能を有する画像読み取り部１０と、下部の画像形成機能を有する画像形成部（画像形成手段）２０を備えている。図に示すように、筐体１００の画像読み取り部１０の上部には、原稿台２に載置される原稿（図示せず）を原稿台２に密着させるパッド１１１が取り付けられた蓋１１０がヒンジによって回動可能に設けられている。また、筐体１００の後方上部には、記録紙Ｐが装填される給紙トレイ１２０が設けられており、筐体１００の前面には、後述するように画像形成部２０により画像が形成された記録紙Ｐが排出される排紙トレイ１３０が設けられている。
【００１４】
画像読み取り部１０の画像読み取り機能は、後述するように、筐体１００の内部に主走査方向（図の矢印Ａ）が長手方向になるように配されるスキャンユニット３が主走査方向と直交する副走査方向（図の矢印Ｂ）に移動されることにより、原稿台２に載置された原稿を画像データとして読み取るものである。画像形成部２０は、給紙トレイ１２０に装填された記録紙Ｐを筐体１００の内部に搬送して排紙トレイ１３０に排出させる記録紙搬送部（図示なし）を有している。画像形成部２０の画像形成機能は、画像読み取り部１０により読み取られた画像データ、又は外部から入力された画像データに基いて、筐体１００の内部に搬送された記録紙Ｐ上に、例えばインクジェット方式により画像を形成するものである。なお、画像形成部２０は、例えばレーザビームプリンタのような電子写真方式により画像を形成するものであったりしてもよく、特定の方式に限られるものではない。
【００１５】
筐体１００の内部には、例えばＡＳＩＣやメモリ等により構成されており、画像読み取り部１０及び画像形成部２０の動作を制御する制御回路３０が設けられている。筐体１００の上部には、例えば外部から操作可能な操作ボタン（図示せず）や画像形成装置１の状態等を表示する機能を有する表示部（図示せず）等を有する操作パネル部３１が設けられている。この画像形成装置１においては、例えばユーザによる操作ボタンの操作に基いて、制御回路３０により画像読み取り部１０や画像形成部２０が制御されるように構成されている。なお、操作パネル部３１の位置及び構成や、給紙トレイ１２０、排紙トレイ１３０の位置等は、これに限られるものではない。
【００１６】
図２は、画像読み取り部１０を示す。図の矢印Ａ，Ｂは、図１に示す矢印Ａ，Ｂと同様に、それぞれこの画像読み取り部１０の主走査方向、副走査方向を示す。画像読み取り部１０の筐体１００の上部の上面には、矩形の開口１００ａが形成されている。この筐体１００の開口１００ａには、例えばガラス等の透光性材料で形成される平板状の原稿台２が装着されている。筐体１００の内部には、スキャンユニット３と、スキャンユニット３を保持する樹脂部材４と、副走査方向が長手方向となるように筐体１００の主走査方向の略中央に配され、例えば円形断面を有しており樹脂部材４と係合するガイドシャフト５と、樹脂部材４とスキャンユニット３との間に配された例えばコイル状の２つのばね６と、スキャンユニット３を副走査方向に移動させるための駆動機構（駆動手段）７が収納されている。本実施形態において、駆動機構７は、ガイドシャフト５に沿って回動自在に配されたベルト７ａと、ベルト７ａをプーリ等を介して回動させるモータ７ｂとを有しているものである。なお、駆動機構７は、例えばリニアモータやその他の構造を用いたものであってもよい。また、ばね６は、２個に限られるものではなく、１個でも、３個以上であってもよく、さらに、板ばね等の他の種類のばねであってもよい。
【００１７】
図３は、スキャンユニット３及び樹脂部材４を示す。図の矢印Ａ，Ｂは、図１及び図２に示す矢印Ａ，Ｂと同様に、それぞれ画像読み取り部１０の主走査方向、副走査方向を示す。スキャンユニット３は、いわゆるＣＩＳ(Contact Image Sensor)であり、主走査方向が長手方向となるように配されている。スキャンユニット３は、制御回路３０とフラットケーブル３ａを介して接続されるものであり、上部には、主走査方向に沿って設けられた線状光源（照明手段）３ｂと、線状光源３ｂに平行に設けられた撮像装置（撮像手段）３ｃが設けられている。また、スキャンユニット３の主走査方向の両端には、支持突起３ｄが主走査方向に突設されている。そして、スキャンユニット３の上面の主走査方向の両端には、スキャンユニット３の上面から所定の高さ（例えば０．１ｍｍ程度）だけ盛り上がるような、スペーサ３ｅが設けられている。このスペーサ３ｅは、スキャンユニット３が筐体１００の内部に配された状態で原稿台２の内面と当接するものである。すなわち、スキャンユニット３は、スペーサ３ｅが原稿台２の内面と当接することにより、原稿台２との間隔が常に一定に保たれるように構成されている。このスペーサ３ｅは、スキャンユニット３が後述のように原稿台２に接触した状態で移動されるときに摩擦抵抗が少なくなり、磨り減りにくいような材質の樹脂等により形成されている。このスペーサ３ｅは、スキャンユニット３の筐体と別体で形成され、この筐体に嵌め込む等して組みつけられるものであってもよく、また、スキャンユニット３の筐体と一体に形成されるものであってもよい。
【００１８】
スキャンユニット３の線状光源３ｂは、例えば複数のＬＥＤを主走査方向に配列したものであり、原稿台２の、副走査方向に所定幅で、主走査方向の全域の領域を略均一な明るさで照明する。撮像装置３ｃは、微小レンズを主走査方向に配列したレンズアレイと、各レンズに対応して主走査方向に受光素子を配列した受光素子アレイで構成されている。各レンズは、原稿台２の外面に焦点が合わされており、原稿台２の外面に密着するように載置される原稿のうち、線状光源３ｂにより照明された所定の範囲の像を各受光素子の受光面に結像させて、各受光素子によりその所定の範囲の画像を撮像する。このスキャンユニット３は、駆動機構７により駆動されて副走査方向に移動しながら原稿台２上の原稿の画像を撮像し、撮像した画像データを、フラットケーブル３ａを介して制御回路３０へ送信するものである。
【００１９】
図４（ａ）、（ｂ）、（ｃ）は、樹脂部材４を示す。樹脂部材４は、ガイドシャフト５に対し摺動可能に嵌装されるような、下方に向け開いた溝状のシャフトベアリング４ａと、シャフトベアリング４ａが設けられている部位から主走査方向両側に延設されている板状のブラケット４ｂとが一体に成型されたものである。この樹脂部材４は、後述するように主走査方向に反りが生じるような力が加わっても変形しにくいように、例えばガラス繊維等が混合されたＰＯＭ等のような、剛性が高められた複合プラスチックにより成型されているが、これに限られるものではない。
【００２０】
図に示すように、ブラケット４ｂの主走査方向の両端には、スキャンユニット３の支持突起３ｄを保持するように保持部４ｃが設けられている。一方の保持部４ｃは、例えば主走査方向に向け穴状に形成されたものであり、他方の保持部４ｃは、例えば上方に開いた溝状に形成されたものである。また、ブラケット４ｂの上面には、例えば格子状の補強リブ４ｄが突設されており、樹脂部材４の剛性が高くなるように構成されている。なお、図に示すように、ブラケット４ｂの上面の主走査方向の両端近傍には、ばね６が嵌装されるばね取付部４ｅが設けられている。さらに、下面のシャフトベアリング４ａの傍には、駆動機構７のベルト７ａが取り付けられるベルト取付部４ｆが形成されている。
【００２１】
図３に示すように、スキャンユニット３は、樹脂部材４のばね取付部４ｅにばね６が嵌装された状態で、穴状の保持部４ｃに一方の支持突起３ｄが差し込まれ、他方の支持突起３ｄが溝状の保持部４ｃに嵌められることにより、樹脂部材４のブラケット４ｂに保持されている。そして、このスキャンユニット３及び樹脂部材４は、シャフトベアリング４ａが、例えばグリス等により潤滑されてガイドシャフト５に摺動自在に係合され、また、ベルト取付部４ｆに駆動機構７のベルト７ａが取り付けられた状態で、筐体１００の内部に収納されている。このとき、上述のように、スキャンユニット３のスペーサ３ｅは原稿台２と当接しており、また、ばね６は、樹脂部材４のブラケット４ｂとスキャンユニット３の下面との間で圧縮された状態となっている。すなわち、スキャンユニット３は、ばね６により、上面のスペーサ３ｅが原稿台２の内面に当接するように付勢されている。
【００２２】
スキャンユニット３は、駆動機構７のモータ７ｂによりベルト７ａが駆動され、樹脂部材４のシャフトベアリング４ａ付近のベルト取付部４ｆに駆動力が与えられることにより、樹脂部材４と共にガイドシャフト５に沿って副走査方向に移動される。このとき、スキャンユニット３はばね６により原稿台２に向けて付勢された状態で、原稿台２と所定間隔を保ったまま移動され、撮像装置３ｃが原稿台２の上面を高画質に撮像することにより、原稿台２に載置される原稿が画像データとして読み取られる。
【００２３】
このように、本実施形態においては、シャフトベアリング４ａ及びブラケット４ｂが、共に１つの樹脂部材４として一体成型されて構成されているので、図５に示すような従来のものより部品点数が少なくなり、部品コストが低くなる。また、治具を用いる等してシャフトベアリング４ａとブラケット４ｂを結合させるような組立作業が必要無いため、組立に必要な工数が少なくなり、製造コストを抑制することが可能となる。従って、画像形成装置１を安価なものにすることが可能となる。
【００２４】
なお、上述のように、スキャンユニット３はばね６により付勢されている状態では、樹脂部材４には、ガイドシャフト５と係合されているシャフトベアリング４ａを支点にブラケット４ｂが下方に撓むように、ばね取付部４ｅに下向きに力が加えられている。スキャンユニット３が確実に原稿台２に付勢されるようにして、高精度に画像を読み取ることが可能となるように構成するには、このときにブラケット４ｂが反りにくいように樹脂部材４が高剛性となるように構成しなければならない。本実施形態においては、ブラケット４ｂの上面に補強リブ４ｄが形成されているので、補強リブ４ｄが形成されていない場合と比較して、補強リブ４ｄが設けられていない部位の厚みを薄くしてもブラケット４ｂを高剛性を有するようにすることが可能となる。すなわち、補強リブ４ｄを設けることにより、ブラケット４ｂの剛性を効率的に確保して、確実にスキャンユニット３を保持することができる堅牢な樹脂部材４を軽量に形成することが可能となり、画像を読み取る際にスキャンユニット３をより安定して移動させることが可能となる。
【００２５】
なお、本発明は上記実施形態の構成に限定されるものではなく、発明の趣旨を変更しない範囲で適宜に種々の変形が可能である。例えば、スキャンユニット３は支持突起３ｄを有していなくてもよく、樹脂部材４がスキャンユニット３を保持する方法は上述に限られるものではない。また、補強リブ４ｄの形状は、格子状でなくてもよく、他の形状であったり、ブラケット４ｂの下面から下方に突設されているものであってもよい。さらに、樹脂部材４は、ブラケット４ｂに補強リブ４ｄが設けられていなないものでもよく、ブラケット４ｂを肉厚に形成することにより剛性が確保されているものであってもよい。すなわち、シャフトベアリング４ａ及びブラケット４ｂを、共に１つの樹脂部材に一体成型することにより、上述と同様に、部品コストや製造コストを抑制することが可能となり、画像形成装置１を安価なものにすることが可能となる。
【図面の簡単な説明】
【００２６】
【図１】本発明の一実施形態に係る画像形成装置を示す斜視図。
【図２】同上装置の画像読み取り部の構成を示す分解斜視図。
【図３】同上装置のスキャンユニットと樹脂部材の構成を説明する斜視図。
【図４】（ａ）は同上装置の樹脂部材の上面図、（ｂ）は（ａ）の側面図、（ｃ）は（ａ）の下面図。
【図５】従来の画像形成装置のスキャンユニットとその支持部材の構成を説明する斜視図。
【符号の説明】
【００２７】
１  画像形成装置
２  原稿台
３  スキャンユニット
３ｂ  線状光源（照明手段）
３ｃ  撮像装置（撮像手段）
４  樹脂部材
４ａ  シャフトベアリング
４ｂ  ブラケット
４ｄ  補強リブ
５  ガイドシャフト
６  ばね
７  駆動機構（駆動機構）
２０  画像形成部（画像形成手段）
１００  筐体
１００ａ  開口
Ａ  主走査方向
Ｂ  副走査方向
【図１】
2007086356.tif 000003
【図２】
2007086356.tif 000004
【図３】
2007086356.tif 000005
【図４】
2007086356.tif 000006
【図５】
2007086356.tif 000007